(57)【要約】【課題】健康管理の継続性を高める技術を提供する。【解決手段】健康管理支援装置３０は、ユーザが測定した身体情報を取得する情報取得部と、身体情報の測定頻度から、ユーザの健康管理に対する関心度の発展段階を示す行動変容ステージを決定する決定部と、行動変容ステージに応じた支援情報をユーザに提供する支援情報提供部とを備える。表示装置４０が表示する映像に行動変容ステージに応じた支援画像を重畳し、測定機器２０を使った身体情報の測定を習慣付けるようにユーザを導いて、健康管理の継続性を高めることができる。【選択図】図１
2018181276.tif 000002
【特許請求の範囲】
【請求項１】
ユーザが測定した身体情報を取得する情報取得部と、
身体情報の測定頻度から、ユーザの健康管理に対する関心度の発展段階を示す行動変容ステージを決定する決定部と、
行動変容ステージに応じた支援情報をユーザに提供する支援情報提供部とを備える
ことを特徴とする健康管理支援装置。
【請求項２】
ユーザが使用する表示装置に表示させる映像を受信する受信部を備え、
前記支援情報提供部は、
前記支援情報を示す支援画像を生成する画像生成部と、
前記支援画像を重畳した映像を前記表示装置に表示させる画像処理部とを備えることを特徴とする請求項１に記載の健康管理支援装置。
【請求項３】
前記支援画像は、前記行動変容ステージごとに内容および口調が変化するメッセージ画像と、メッセージを発するキャラクタ画像とを含むことを特徴とする請求項２に記載の健康管理支援装置。
【請求項４】
ユーザの関係者が入力したコメントを受信する通信部を備え、
前記画像生成部は、前記通信部が前記コメントを受信した場合に、前記コメントを示す画像および前記関係者を示す画像を前記映像に重畳して前記表示装置に表示させることを特徴とする請求項２または３に記載の健康管理支援装置。
【請求項５】
前記支援情報提供部は、前記支援情報に対応する音声を生成する音生成部と、前記音生成部により生成された音声を前記表示装置に出力させる音処理部とを備えることを特徴とする請求項１から４のいずれかに記載の健康管理支援装置。
【請求項６】
ユーザの身体情報を測定する測定部と、
身体情報の測定頻度から、ユーザの健康管理に対する関心度の発展段階を示す行動変容ステージを決定する決定部と、
行動変容ステージに応じた支援情報をユーザに提供する支援情報提供部とを備える
ことを特徴とする健康管理支援装置。
【請求項７】
前記支援情報の画像を表示する表示部および前記支援情報の音声を出力する音出力部の少なくとも一方を備えることを特徴とする請求項６に記載の健康管理支援装置。
【請求項８】
健康管理支援装置と、管理サーバとを含む健康管理支援システムであって、
前記健康管理支援装置は、
ユーザが測定した身体情報を取得する情報取得部と、
身体情報の測定頻度から、ユーザの健康管理に対する関心度の発展段階を示す行動変容ステージを決定する決定部と、
行動変容ステージに応じた支援情報をユーザに提供する支援情報提供部とを備え、
前記管理サーバは、
前記身体情報をユーザに対応付けて記憶する記憶部を備える
ことを特徴とする健康管理支援システム。
【請求項９】
前記健康管理支援装置は、ユーザが使用する表示装置に表示させる映像を受信する受信部を備え、
前記支援情報提供部は、
前記支援情報を示す支援画像を生成する画像生成部と、
前記支援画像を重畳した映像を前記表示装置に表示させる画像処理部とを備えることを特徴とする請求項８に記載の健康管理支援システム。
【請求項１０】
前記管理サーバは、ユーザの関係者が入力したコメントを受け付ける受付部を備え、
前記支援情報提供部は、前記受付部が関係者からコメントを受け付けた場合に、前記コメントを示す画像および前記関係者を示す画像を前記映像に重畳して前記表示装置に表示させることを特徴とする請求項９に記載の健康管理支援システム。
【請求項１１】
ユーザが測定した身体情報を取得するステップと、
身体情報の測定頻度から、ユーザの健康管理に対する関心度の発展段階を示す行動変容ステージを決定するステップと、
行動変容ステージに応じた支援情報をユーザに提供するステップとを備える
ことを特徴とする健康管理支援方法。
【発明の詳細な説明】
【技術分野】
【０００１】
本発明は、健康管理支援装置、健康管理支援システム、および健康管理支援方法に関する。
【背景技術】
【０００２】
糖尿病や、脂質異常症、高血圧、高尿酸血症など、生活習慣が発症原因に関与すると考えられている生活習慣病の患者数が増加している。生活習慣病は、健康管理を継続的に実行して対処していくことで、予防および改善できるといわれている。
【０００３】
そこで、ユーザから送信されるバイタルデータを管理し、データ評価結果にもとづいてユーザの自己管理をサポートする健康管理システムが開示されている（例えば、特許文献１参照）。
【先行技術文献】
【特許文献】
【０００４】
【特許文献１】特開２００２−５６０９９号公報
【発明の概要】
【発明が解決しようとする課題】
【０００５】
健康状態を管理するためには、血圧や体重などの測定および記録を定期的に行う必要がある。しかしながら、測定を忘れてしまったり、面倒になって途中であきらめてしまったりする場合がある。本発明者らは、健康管理を継続させる上で改善の余地があると認識するに至った。
【０００６】
本発明はこうした状況に鑑みてなされたものであり、その目的は、健康管理の継続性を高める技術を提供することにある。
【課題を解決するための手段】
【０００７】
上記課題を解決するために、本発明のある態様の健康管理支援装置は、ユーザが測定した身体情報を取得する情報取得部と、身体情報の測定頻度から、ユーザの健康管理に対する関心度の発展段階を示す行動変容ステージを決定する決定部と、行動変容ステージに応じた支援情報をユーザに提供する支援情報提供部とを備える。この態様によれば、行動変容ステージに応じた支援情報を提供して身体情報を測定するようにユーザを導くので、健康管理の継続性を高めることができる。
【０００８】
本発明の別の態様もまた、健康管理支援装置である。この装置は、ユーザの身体情報を測定する測定部と、身体情報の測定頻度から、ユーザの健康管理に対する関心度の発展段階を示す行動変容ステージを決定する決定部と、行動変容ステージに応じた支援情報を提供する支援情報提供部とを備える。
【０００９】
本発明のさらに別の態様は、健康管理支援システムである。このシステムは、健康管理支援装置と、管理サーバとを含む。健康管理支援装置は、ユーザが測定した身体情報を取得する情報取得部と、身体情報の測定頻度から、ユーザの健康管理に対する関心度の発展段階を示す行動変容ステージを決定する決定部と、行動変容ステージに応じた支援情報を提供する支援情報提供部と、前記身体情報を管理サーバに送信する送信部とを備える、管理サーバは、身体情報を受信する受信部と、身体情報をユーザに対応付けて記憶する記憶部とを備える。
【００１０】
本発明のさらに別の態様は、健康管理支援方法である。この方法は、ユーザが測定した身体情報を取得するステップと、身体情報の測定頻度から、ユーザの健康管理に対する関心度の発展段階を示す行動変容ステージを決定するステップと、行動変容ステージに応じた支援情報を提供するステップとを備える。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、健康管理の継続性を高めることができる。
【図面の簡単な説明】
【００１３】
【図１】第１の実施の形態に係る健康管理支援システムを示す図である。
【図２】第１の実施の形態に係る健康管理支援システムの機能構成を示すブロック図である。
【図３】図１の健康管理支援装置の管理支援処理を示すフローチャートである。
【図４】図４（ａ）〜（ｃ）は、支援画像の一例を示す図である。
【図５】支援画像が重畳された映像を表示する表示装置の画面を示す図である。
【図６】図１の健康管理支援装置の測定支援処理を示すフローチャートである。
【図７】図１の健康管理支援装置のコメント処理を示すフローチャートである。
【図８】コメント画像が重畳された映像を表示する表示装置の画面を示す図である。
【図９】第２の実施の形態に係る健康管理支援装置の機能構成を示すブロック図である。
【発明を実施するための形態】
【００１４】
以下の実施例では、同一の構成要素に同一の符号を付し、重複する説明を省略する。また、各図面では、説明の便宜のため、構成要素の一部を適宜省略する。
【００１５】
［第１の実施の形態］
本発明の実施の形態を具体的に説明する前に、図１を用いて概要を説明する。ユーザが測定機器２０を用いて体重や血圧などの身体情報を測定すると、健康管理支援装置３０が、身体情報の測定頻度から、ユーザの健康管理に対する関心度の発展段階を示す行動変容ステージを決定する。行動変容ステージは、ユーザの健康管理に対する関心が低い「無関心期」や、健康管理のために身体情報の測定を定期的に実行し始めた「導入期」、身体情報の測定を継続的に実行している「実行継続期」などが設定される。このような行動変容ステージは、ユーザが行動を変えるように促す行動変容モデル（本明細書の末尾に記載した参考文献１、２参照）にもとづいて予め設定される。健康管理支援装置３０は、ユーザが「無関心期」から「導入期」を経て「実行継続期」に移行し、「実行継続期」を維持するように、表示装置４０が表示する映像に各ステージに応じた支援画像を重畳する。これにより、ユーザは行動を変えて身体情報の測定を実行し、健康管理を継続して行うように導かれる。また、管理サーバ５０は、ユーザごとの身体情報の測定結果を記憶し、家族や主治医といったユーザの関係者が使用するＰＣ端末６０に測定結果を提供する。健康管理支援装置３０は、管理サーバ５０がＰＣ端末６０から受け付けたコメントを表示装置４０に表示させる。表示装置４０に表示する支援画像やコメントにより身体情報の測定を習慣付けて、ユーザの健康管理の継続性を高めることができる。
【００１６】
図１は、第１の実施の形態に係る健康管理支援システム１０を示す図である。健康管理支援システム１０は、測定機器２０、健康管理支援装置３０、表示装置４０、管理サーバ５０、ＰＣ端末６０を備える。測定機器２０は、体重計１２および血圧計１４を含み、ユーザの身体情報として体重および血圧を測定し、無線接続により健康管理支援装置３０に測定結果を送信する。測定機器２０は、体温や脈拍数などを測定する機器を含んでもよい。健康管理支援装置３０は、ケーブルテレビ局の放送を受信するセットトップボックスであり、表示装置４０に接続されている。健康管理支援装置３０は、ユーザの健康管理を支援する支援画像を生成し、受信した映像に支援画像を重畳して表示装置４０に表示させる。表示装置４０は、ディスプレイおよびスピーカを備えるテレビであり、健康管理支援装置３０が受信した映像や音声などを出力する。健康管理支援装置３０、管理サーバ５０、およびＰＣ端末６０は、ネットワークを介して接続されている。
【００１７】
図２は、健康管理支援システム１０の機能構成を示すブロック図である。本明細書のブロック図で示す各ブロックは、ハードウェア的には、コンピュータのＣＰＵをはじめとする素子や機械装置で実現でき、ソフトウェア的にはコンピュータプログラムなどによって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１８】
健康管理支援装置３０は、情報取得部３２、決定部３４、支援情報提供部３６、受信部４６、通信部４８を備える。情報取得部３２は、測定機器２０から身体情報の測定結果を取得する。決定部３４は、管理サーバ５０に記憶されているユーザの測定結果から身体情報の測定頻度を算出し、ユーザが属する行動変容ステージを決定する。決定部３４は、直近一週間の測定回数が１回以下の場合、ユーザの行動変容ステージを「無関心期」とする。現在から過去４５日間で測定回数が２〜７回の週が１〜４週間ある場合、「導入期」とする。過去４５日間で測定回数が７回以上の週が５週間以上ある場合、「実行継続期」とする。測定頻度の閾値や、ステージの数などはこれに限らない。行動変容ステージとして、「関心期」や「準備期」を設けてもよく、「実行継続期」を「実行期」と「継続期」とに分けてもよい。ステージを増やして細やかにユーザを支援することで、健康管理の継続性をより高めることができる。
【００１９】
支援情報提供部３６は、画像生成部３８、画像処理部４２、音生成部４４、音処理部４５を備える。画像生成部３８は、ユーザの行動変容ステージに応じて、後述のメッセージ画像およびキャラクタ画像を含む支援画像を生成する。「無関心期」には、説明的な口調で、健康管理の重要性をユーザに訴えるメッセージを含む画像を生成する。「導入期」には、丁寧な口調で、測定行為に対する励ましや、健康状態の評価、健康に関する話などのメッセージを含む画像を生成する。「実行継続期」には、砕けた口調で、測定結果に対する評価などのメッセージを含む画像を生成する。画像処理部４２は、受信部４６が受信した映像に画像生成部３８が生成した支援画像を重畳する。表示装置４０は、受信部４６が受信した映像または支援画像が重畳された映像を表示する。音生成部４４は、画像生成部３８が生成する支援画像のメッセージに対応する音声を生成する。音処理部４５は、音生成部４４が音声を生成した場合、受信部４６が受信した音声に音生成部４４が生成した音声を重畳する。音処理部４５は、受信部４６が受信した音声の音量よりも、音生成部４４が生成した音声の音量が大きくなるように音声を重畳する。表示装置４０は、受信部４６が受信した音声または支援画像に対応する音声が重畳された音を出力する。なお、音処理部４５は、音生成部４４が音声を生成した場合、受信部４６が受信した音声から音生成部４４が生成した音声に切り換えて表示装置４０に出力させてもよい。
【００２０】
受信部４６は、ケーブルテレビ局が放送する映像信号および音声信号を受信し、表示装置４０が表示および出力できるように各信号を復号する。受信部４６は、ケーブルテレビ局以外の地上波テレビ局が放送する映像や、インターネットを通じて配信される映像を受信してもよい。通信部４８は、ネットワークを介して管理サーバ５０やＰＣ端末６０と接続するインターフェースである。
【００２１】
管理サーバ５０は、通信部５２、記憶部５４、ユーザ情報提供部５６、受付部５８を備える。通信部５２は、ネットワークを介して健康管理支援装置３０やＰＣ端末６０と接続するインターフェースである。記憶部５４は、健康管理支援装置３０から送信される測定機器２０の測定結果をユーザに対応付けて記憶する。ユーザ情報提供部５６は、ＰＣ端末６０からの要求に応じて、記憶部５４に記憶されているユーザの身体情報の測定結果をＰＣ端末６０に提供する。ＰＣ端末６０は、ユーザのＩＤおよびパスワードを管理サーバ５０に送信して、対応するユーザの測定日時および結果などを取得する。ＰＣ端末６０を使うユーザの家族や主治医は、測定結果を見てコメントを管理サーバ５０に送信できる。受付部５８は、ＰＣ端末６０に入力されたコメントを受け付ける。ユーザの家族や主治医がユーザの健康状態を把握し、ユーザに身体情報の測定や服薬などの健康管理を促すことができる。ユーザが家族から離れて暮らす高齢者の場合、家族がユーザの健康状態を把握できるのでお互い安心して生活できる。
【００２２】
図３は、健康管理支援装置３０の管理支援処理を示すフローチャートである。測定機器２０において体重や血圧の測定が実行されると、測定機器２０から健康管理支援装置３０に測定結果が送信される。健康管理支援装置３０は、測定結果を受信すると図３に示す管理支援処理を実行する。
【００２３】
まず、情報取得部３２が、測定機器２０から送信された身体情報の測定結果を取得する（Ｓ１１）。情報取得部３２は、通信部４８を介して測定結果をユーザ情報とともに管理サーバ５０に送信する（Ｓ１２）。管理サーバ５０では、測定結果がユーザ情報に対応付けられて記憶部５４に保存される。次に、決定部３４が、管理サーバ５０からユーザの過去の測定結果を取得し、直近一週間での測定回数や、現在から過去４５日間での測定回数など、上述した測定頻度を算出する（Ｓ１３）。決定部３４は、算出した測定頻度からユーザの行動変容ステージを決定する（Ｓ１４）。
【００２４】
次に、画像生成部３８が決定された行動変容ステージに応じた支援画像を生成し、音生成部４４が支援画像に対応する音声を生成する（Ｓ１５）。図４は、支援画像７０の一例を示す図である。支援画像７０は、メッセージ画像７２およびキャラクタ画像７４を含んで構成される。行動変容ステージが「無関心期」の場合、例えばメッセージの内容を「健康管理は毎日続けることで効果が出ますよ。」とする（図４（ａ））。身体情報の測定が健康の維持や管理に有効であることを説明し、身体情報の測定が習慣付けられていないユーザに定期的な測定を促す。「導入期」の場合、例えばメッセージの内容を「測定お疲れさま。今後も頑張っていきましょう。」とする（図４（ｂ））。測定頻度が上がってきたユーザを丁寧な口調で励まし、さらに測定回数を増やすように導く。「実行継続期」の場合、例えばメッセージの内容を「いい調子だね！これからも頑張っていこう！」とする。親しみを持てるような砕けた口調でユーザを励まし、現在の測定頻度を維持するように導く。各ステージに対応して多数のメッセージを用意し、表示するメッセージをランダムに選択する。
【００２５】
キャラクタ画像７４は、擬人化した動物を模した画像として、ステージに応じて表情や動きを変化させる。キャラクタ画像７４は、システムに対する親近感を抱きやすくして、ユーザに行動を変えさせる説得力を高める。このように、キャラクタ画像７４は、コンピュータが人を説得する技術として提唱されているカプトロジ（参考文献３参照）におけるソーシャルアクタとして機能する。キャラクタ画像７４は、動物を模した画像に限られず、人物や、植物、物体、架空の生物、人型もしくは動物型のロボットなどを模した画像であってもよい。
【００２６】
図３に戻り、画像処理部４２が支援画像７０を表示装置４０に表示させるとともに、音処理部４５が支援画像７０に対応する音声を表示装置４０に出力させる（Ｓ１６）。図５は、支援画像７０が重畳された映像を表示する表示装置４０の画面を示す図である。ユーザは、画面に表示される支援画像７０のメッセージやキャラクタ、スピーカから出力される音声により、健康管理意識が高められて、継続的に身体情報を測定するように導かれる。
【００２７】
図６は、健康管理支援装置３０の測定支援処理を示すフローチャートである。健康管理支援装置３０は、所定の時間間隔で図６に示す処理を繰り返し実行する。まず、決定部３４が、予め設定された測定実行時間であるか否かを確認する（Ｓ２１）。ユーザは、身体情報を測定する時間を予め設定する。現在時刻が測定実行時間である場合（Ｓ２１のＹ）、決定部３４が測定頻度を算出する（Ｓ２２）。また、算出した測定頻度から行動変容ステージを決定する（Ｓ２３）。画像生成部３８は行動変容ステージに応じて測定を促す支援画像を生成し、音生成部４４は支援画像に対応する音声を生成する（Ｓ２４）。画像生成部３８は、「血圧を測定しましょう。」や、「測定の時間ですよ！」、「測定時間だよ。」などのメッセージ画像とキャラクタ画像とを含む支援画像を生成する。音生成部４４は、支援画像のキャラクタに対応する声でメッセージを話す音声を生成する。次に、画像処理部４２が支援画像を表示装置４０に表示させ、音処理部４５が支援画像に対応する音声を表示装置４０に出力させる（Ｓ２５）。ユーザは、表示装置４０から出力される支援画像および音声により、測定実行時間であることを認識して測定機器２０で測定を実行する。このような測定支援処理により、ユーザに測定を促して健康管理の継続性を高めることができる。
【００２８】
図７は、健康管理支援装置３０のコメント処理を示すフローチャートである。管理サーバ５０の受付部５８は、ＰＣ端末６０からコメントを受け付けると、通信部５２を介してコメントの内容および入力者の情報を健康管理支援装置３０に送信する。健康管理支援装置３０の通信部４８は、管理サーバ５０から送信されたコメントに関する情報を受信する（Ｓ３１）。画像生成部３８はコメント内容および入力者を示すコメント画像を生成し、音生成部４４は入力者およびコメントに対応する音声を生成する（Ｓ３２）。画像処理部４２が支援画像を表示装置４０に表示させ、音処理部４５が支援画像に対応する音声を表示装置４０に出力させる（Ｓ３３）。
【００２９】
図８は、コメント画像７６が重畳された映像を表示する表示装置４０の画面を示す図である。コメント画像７６は、コメントを表示する画像と、入力者を示す画像とを含んで構成される。例えば、ユーザの主治医がコメントを入力した場合、コメントの内容とともに入力者が医師であることを示す画像が表示される。健康管理支援装置３０にキーボードやマウス、マイクなどの入力部を設け、ユーザと主治医などとの間で対話可能な構成としてもよい。これにより、離れた場所からユーザの状態をより正確に把握できる。
【００３０】
以上の構成による動作は以下の通りである。ユーザが測定機器２０を使って体重や血圧を測定すると、表示装置４０が表示する映像に支援画像７０が重畳される。支援画像７０は、測定頻度から決定された行動変容ステージに応じたメッセージ画像およびキャラクタ画像を含んで構成される。支援画像７０により、ユーザは身体情報の測定頻度を上げて健康管理を継続するように導かれる。ユーザが予め設定した測定実行時間には、身体情報の測定を促す画像が表示装置４０に表示される。表示装置４０は、例えばテレビ番組などを表示するテレビである。支援画像を表示するメディアとして、居間などの目に付く場所に設置されて日常的に使用されるテレビを用いることで、ユーザの健康に対する意識をより自然に高めることができる。ユーザの主治医や家族は、管理サーバ５０に蓄積される身体情報の測定結果を閲覧可能であり、コメントを入力してユーザに送信できる。ユーザが家族から離れて暮らす独居老人の場合、家族や主治医が健康状態を把握して見守ることが可能であり、ユーザおよび家族が安心して暮らすことができる。
【００３１】
以上で説明した第１の実施の形態によれば、ユーザの健康管理の継続性を高めることができる。なお、健康管理支援装置３０に表示装置４０の電源オンオフを制御する電源制御部を設けてもよい。表示装置４０の電源がオフであった場合にも、身体情報の測定や、測定実行時間、コメント受付などに応じて表示装置４０の電源をオンにして、支援画像７０などを重畳した映像を表示させることができる。現在時刻が測定実行時間になった場合に、測定実行時間であることを音声でユーザに報知する報知部を健康管理支援装置３０に設けてもよい。ユーザが表示装置４０を見ていなかった場合や、表示装置４０から離れた場所にいた場合であっても、測定実行時間を知らせることができる。画像生成部３８は、ユーザからの要求に応じて身体情報の測定結果の推移を示すグラフ画像を生成してもよい。この場合、画像処理部４２は、グラフ画像を映像に重畳して表示装置４０に表示させる。これにより、ユーザは自分の身体情報の変化を把握し、健康に対する意識を高めることができる。
【００３２】
［第２の実施の形態］
図９は、第２の実施の形態に係る健康管理支援装置８０の機能構成を示すブロック図である。健康管理支援装置８０は、第１の実施の形態に係る健康管理支援装置３０と同様の構成に加えて、測定部８２、表示部８４、音出力部８６を備える。測定部８２は、血圧計や、体重計、体温計などの測定機器を含み、ユーザの身体情報を測定する。表示部８４は、受信部４６が受信した映像もしくは支援画像７０が重畳された映像を表示するディスプレイである。音出力部８６は、受信部４６が受信した音声や音生成部４４により生成された音声を出力するスピーカである。
【００３３】
第２の実施の形態に係る健康管理支援装置８０は、ユーザの身体情報の測定から、行動変容ステージの決定、支援画像７０の生成や映像の表示および音声の出力までを一つの装置で実行する。装置構成が簡単であり、高齢者なども容易に使用できる。健康管理支援装置８０を人型や動物型のロボットとして構成してもよい。これにより、コンピュータが人を説得するカプトロジにおけるソーシャルアクタとしての機能を向上させ、ユーザに行動変容を促して健康管理の継続性をより高めることができる。
【００３４】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００３５】
［参考文献］
［１］西村千春ほか、「自己管理が良好な生活習慣病患者の日常生活行動とその分析」、日本看護学会論文集  ２  成人看護、ｖｏｌ．３６、ｐｐ．２２５−２２７、２００５
［２］岡浩一朗、「中年者における運動行動の変容段階と運動セルフ・エフィカシーの関係」、日本公衆衛生雑誌、ｖｏｌ．５０、ｎｏ．３、ｐｐ．２０８−２１５、２００３
［３］B.J.Fogg (２００２)、 Persuasibe Technology: Using Computers to Change What We Think and Do. Morgan Kaufmann（Ｂ．Ｊ．フォッグ  高良理・安藤知華（訳）（２００５）．心理学実験が教える人を動かすテクノロジ日経ＢＰ）
【符号の説明】
【００３６】
１０…健康管理支援システム、２０…測定機器、３０…健康管理支援装置、３２…情報取得部、３４…決定部、３６…支援情報提供部、３８…画像生成部、４０…表示装置、４２…画像処理部、４６…受信部、５０…管理サーバ、５４…記憶部、７０…支援画像、７２…メッセージ画像、７４…キャラクタ画像、８２…測定部、８４…表示部、８６…音出力部。
【図１】
2018181276.tif 000003
【図２】
2018181276.tif 000004
【図３】
2018181276.tif 000005
【図４】
2018181276.tif 000006
【図５】
2018181276.tif 000007
【図６】
2018181276.tif 000008
【図７】
2018181276.tif 000009
【図８】
2018181276.tif 000010
【図９】
2018181276.tif 000011